(57)【要約】【課題】レンズ交換式のカメラシステムにおいて、様々な種類の光学系を適切に機能させることができるアダプターを提供する。【解決手段】アダプターは、カメラボディを装着可能な第１マウント部と、第１マウント部とは別に設けられ、交換レンズを装着可能な第２マウント部と、カメラボディの第１電源系統および第１電源系統に比して供給可能な電力が大きい第２電源系統のうちの第２電源系統から、第２マウント部に装着された交換レンズに供給するレンズ系電源系統の電圧を生成する電源部と、第１マウント部に装着されたカメラボディの第１電源系統からの給電により動作してカメラボディと通信するとともに、電源部を制御するアダプター制御部と、を備え、アダプター制御部は、第１電源系統からの給電を受けることに応じて、レンズ系電源系統の電圧を交換レンズに対して供給させる前に、予め定められている所定のレンズ情報をカメラボディに送信する。【選択図】図２
2013125170.tif 000002
【特許請求の範囲】
【請求項１】
カメラボディを装着可能な第１マウント部と、
前記第１マウント部とは別に設けられ、交換レンズを装着可能な第２マウント部と、
前記カメラボディの第１電源系統および前記第１電源系統に比して供給可能な電力が大きい第２電源系統のうちの前記第２電源系統から、前記第２マウント部に装着された前記交換レンズに供給するレンズ系電源系統の電圧を生成する電源部と、
前記第１マウント部に装着された前記カメラボディの前記第１電源系統からの給電により動作して前記カメラボディと通信するとともに、前記電源部を制御するアダプター制御部と、
を備え、
前記アダプター制御部は、
前記第１電源系統からの給電を受けることに応じて、前記レンズ系電源系統の電圧を前記交換レンズに対して供給させる前に、予め定められている所定のレンズ情報を前記カメラボディに送信する
ことを特徴とするアダプター。
【請求項２】
前記アダプター制御部は、
前記予め定められている所定のレンズ情報を前記カメラボディに送信することに応じて前記カメラボディから供給された前記第２電源系統の電圧から、前記レンズ系電源系統の電圧を前記電源部に生成させる
ことを特徴とする請求項１に記載のアダプター。
【請求項３】
前記アダプター制御部は、
前記第２電源系統からの給電が開始された後、前記レンズ系電源系統の電圧を前記電源部に生成させて前記交換レンズに対して供給させる
ことを特徴とする請求項１または２に記載のアダプター。
【請求項４】
前記アダプター制御部は、
前記レンズ系電源系統の電圧を前記交換レンズに対して供給させた後に、前記交換レンズが有する光学系の情報を含むレンズ情報を前記交換レンズと通信することにより取得するとともに、当該取得したレンズ情報を前記カメラボディに対して送信する
ことを特徴とする請求項１から３の何れか一項に記載のアダプター。
【請求項５】
前記電源部は、
前記レンズ系電源系統の電圧として、
前記交換レンズが備える光学系を駆動する光学系駆動部に給電する第３電源系統の電圧と、前記光学系駆動部を制御するレンズ制御部に給電する第４電源系統の電圧と、を生成し、
前記アダプター制御部は、
前記第２電源系統からの給電が開始された後、前記第４電源系統の電圧を前記電源部に生成させて前記交換レンズに対して供給させることにより、前記交換レンズが有する光学系の情報を含むレンズ情報を前記交換レンズと通信することにより取得する
することを特徴とする請求項１から４の何れか一項に記載のアダプター。
【請求項６】
前記交換レンズが備える絞りの絞り値に応じた位置に移動可能な絞り連動機構部と、
前記絞り連動機構部の位置を移動させる絞り連動機構駆動部と、
を備え、
前記電源部は、
前記第２電源系統から、前記絞り連動機構駆動部に給電する第５電源系統の電圧を生成する
ことを特徴とする請求項１から５の何れか一項に記載のアダプター。
【請求項７】
前記アダプター制御部は
前記第２電源系統からの給電が開始されることに応じて、前記第５電源系統の電圧を前記電源部に生成させて前記絞り連動機構駆動部に対して供給させる
ことを特徴とする請求項６に記載のアダプター。
【請求項８】
前記予め定められている所定のレンズ情報が記憶されている記憶部を有し、
前記アダプター制御部は、
前記記憶部から読み出した前記予め定められているレンズ情報を前記カメラボディに送信する
ことを特徴とする請求項１から７の何れか一項に記載のアダプター。
【請求項９】
請求項１から請求項８の何れか１項に記載のアダプターと、
前記第１マウント部に装着された前記カメラボディと、
前記第２マウント部に装着された前記交換レンズと、
を備えることを特徴とするカメラシステム。
【請求項１０】
カメラボディを装着可能な第１マウント部と、前記第１マウント部とは別に設けられ、交換レンズを装着可能な第２マウント部とを備えるアダプター内のアダプター制御部の動作を制御するアダプター制御プログラムであって、
前記カメラボディの第１電源系統および前記第１電源系統に比して供給可能な電力が大きい第２電源系統のうちの前記第２電源系統から、前記交換レンズに給電するレンズ系電源系統の電圧を生成するステップと、
前記第１マウント部に装着された前記カメラボディの前記第１電源系統からの給電により動作して前記カメラボディと通信するステップと、
前記第１電源系統からの給電を受けることに応じて、前記レンズ系電源系統の電圧を前記交換レンズに対して供給させる前に、予め定められている所定のレンズ情報を前記カメラボディに送信するステップと、
を含むことを特徴とするアダプター制御プログラム。
【発明の詳細な説明】
【技術分野】
【０００１】
本発明は、アダプター、カメラシステム、およびアダプター制御プログラムに関する。
【背景技術】
【０００２】
カメラボディとカメラボディに着脱可能な交換レンズとを備えるレンズ交換式のカメラシステムがある（例えば、特許文献１参照）。
このレンズ交換式のカメラシステムにおいては、カメラボディに装着される交換レンズを変更することにより、様々な種類の光学系を介しての撮像が可能である。
【先行技術文献】
【特許文献】
【０００３】
【特許文献１】特開２００８−２７５８９０号公報
【発明の概要】
【発明が解決しようとする課題】
【０００４】
近年、デジタル方式のカメラシステムにおいては、従来よりもカメラボディのサイズが小型化された新しいレンズ交換式のカメラシステムが開発されている。
しかしながら、この新しいレンズ交換式のカメラシステムのカメラボディには、既存のカメラシステムの交換レンズを装着させて機能させることができない場合がある。
ところで、既存の交換レンズは、一般に広く普及している。そのため、新しいレンズ交換式のカメラシステムにおいて、様々な種類の光学系を介しての撮像を可能にするためには、既存の交換レンズも装着させて機能させることができるようになることが望まれている。
【０００５】
本発明は、このような事情に鑑みてなされたもので、その目的は、レンズ交換式のカメラシステムにおいて、様々な種類の光学系を適切に機能させることができるアダプター、カメラシステム、およびアダプター制御プログラムを提供することにある。
【課題を解決するための手段】
【０００６】
この発明は上述した課題を解決するためになされたもので、カメラボディを装着可能な第１マウント部と、前記第１マウント部とは別に設けられ、交換レンズを装着可能な第２マウント部と、前記カメラボディの第１電源系統および前記第１電源系統に比して供給可能な電力が大きい第２電源系統のうちの前記第２電源系統から、前記第２マウント部に装着された前記交換レンズに供給するレンズ系電源系統の電圧を生成する電源部と、前記第１マウント部に装着された前記カメラボディの前記第１電源系統からの給電により動作して前記カメラボディと通信するとともに、前記電源部を制御するアダプター制御部と、を備え、前記アダプター制御部は、前記第１電源系統からの給電を受けることに応じて、前記レンズ系電源系統の電圧を前記交換レンズに対して供給させる前に、予め定められている所定のレンズ情報を前記カメラボディに送信することを特徴とするアダプターである。
【０００７】
また、本発明は、上記記載のアダプターと、前記第１マウント部に装着された前記カメラボディと、前記第２マウント部に装着された前記交換レンズと、を備えることを特徴とするカメラシステムである。
【０００８】
また、本発明は、カメラボディを装着可能な第１マウント部と、前記第１マウント部とは別に設けられ、交換レンズを装着可能な第２マウント部とを備えるアダプター内のアダプター制御部の動作を制御するアダプター制御プログラムであって、前記カメラボディの第１電源系統および前記第１電源系統に比して供給可能な電力が大きい第２電源系統のうちの前記第２電源系統から、前記交換レンズに給電するレンズ系電源系統の電圧を生成するステップと、前記第１マウント部に装着された前記カメラボディの前記第１電源系統からの給電により動作して前記カメラボディと通信するステップと、前記第１電源系統からの給電を受けることに応じて、前記レンズ系電源系統の電圧を前記交換レンズに対して供給させる前に、予め定められている所定のレンズ情報を前記カメラボディに送信するステップと、を含むことを特徴とするアダプター制御プログラムである。
【発明の効果】
【０００９】
この発明によれば、レンズ交換式のカメラシステムにおいて、様々な種類の光学系を適切に機能させることができる。
【図面の簡単な説明】
【００１０】
【図１】この発明の一実施形態によるカメラシステムの構成の第１例を示す概略ブロック図である。
【図２】カメラシステムの処理の一例を示すフローチャートである。
【図３】カメラシステムの構成の第２例を示す概略ブロック図である。
【図４】カメラシステムの構成の第３例を示す概略ブロック図である。
【図５】レンズ起動処理の一例を示すフローチャートである。
【発明を実施するための形態】
【００１１】
以下、図面を参照して、本発明の実施の形態について説明する。
図１は、この発明の一実施形態によるカメラシステム１の構成の一例を示す概略ブロック図である。
図１に示すカメラシステム１は、レンズ交換式のカメラシステムであり、カメラボディ１００と、交換レンズ２００と、アダプター３００と、を備えている。ここで、アダプター３００は、カメラボディ１００と交換レンズ２００との間に設けられ、カメラボディ１００と交換レンズ２００とに対してそれぞれ着脱可能な構成である。この図において、アダプター３００は、カメラボディ１００および交換レンズ２００に装着されている。すなわち、交換レンズ２００は、アダプター３００を介してカメラボディ１００に装着されている。
【００１２】
このカメラシステム１において、カメラボディ１００が備えているレンズマウントであるカメラボディ側マウント部１０１の仕様と、交換レンズ２００が備えているレンズマウントであるレンズ側マウント部２０１の仕様とは、互いに異なる仕様である。例えば、カメラボディ側マウント部１０１の仕様とレンズ側マウント部２０１の仕様とは、マウント形状の仕様、電気的に接続される接続端子の仕様が互いに異なる。また、この接続端子を介して通信される通信規格、通信データの種類、通信信号の信号レベル（信号電圧）等も互いに異なる。そのため、交換レンズ２００をカメラボディ１００に直接装着することはできない。
【００１３】
そこで、アダプター３００は、カメラボディ１００と交換レンズ２００とを間接的に装着可能にするマウントアダプターとして構成されている。具体的には、アダプター３００は、カメラボディ１００を着脱可能な第１マウント部３０１と、第１マウント部３０１とは別に設けられており、交換レンズ２００を着脱可能な第２マウント部３０２と、を備えている。第１マウント部３０１は、カメラボディ１００を着脱可能なようにカメラボディ側マウント部１０１の仕様に適合している。また、第２マウント部３０２は、交換レンズ２００を着脱可能なようにレンズ側マウント部２０１の仕様に適合している。さらに、アダプター３００は、互いに異なる通信規格、通信データの種類、通信信号の信号レベル（信号電圧）を持つカメラボディ１００と交換レンズ２００との間で、それら通信規格等を変更すること無く、両者間の通信を可能とするように構成されている。
【００１４】
（カメラシステムにおける接続構成）
まず、カメラボディ１００と交換レンズ２００とがアダプター３００を介して装着される場合のそれぞれのマウント部の接続について説明する。
カメラボディ１００は、カメラボディ側マウント部１０１と、カメラボディ側マウント部１０１の近傍に設けられている接続部１０１ｓと、を備えている。アダプター３００は、第１マウント部３０１と、第１マウント部３０１の近傍に設けられている接続部３０１ｓと、第２マウント部３０２と、第２マウント部３０２の近傍に設けられている接続部３０２ｓと、を備えている。交換レンズ２００は、レンズ側マウント部２０１と、レンズ側マウント部２０１の近傍に設けられている接続部２０１ｓと、を備えている。
【００１５】
カメラボディ１００とアダプター３００とは、カメラボディ側マウント部１０１および第１マウント部３０１を介して装着（物理的に接続）可能である。また、接続部１０１ｓと接続部３０１ｓそれぞれは、互いに電気的に接続される８個の接続端子（端子Ｔａ１〜Ｔａ８と端子Ｔｂ１〜Ｔｂ８）を備えている。そして、カメラボディ１００にアダプター３００が装着された場合、接続部１０１ｓの８個の接続端子（端子Ｔａ１〜Ｔａ８）それぞれは、接続部３０１ｓの８個の接続端子（端子Ｔｂ１〜Ｔｂ８）の対応するそれぞれの端子と電気的に接続される。これにより、カメラボディ１００にアダプター３００が装着された場合、これらの接続端子を介してカメラボディ１００とアダプター３００との間で給電（電圧の供給）および信号の授受（通信）が行われる。
なお、信号の授受（通信）は、カメラボディ１００が備えているカメラ制御部１１０とアダプター３００が備えているアダプター制御部３１０との間で行われる。
【００１６】
また、交換レンズ２００とアダプター３００とは、レンズ側マウント部２０１および第２マウント部３０２を介して装着（物理的に接続）可能である。また、接続部２０１ｓと接続部３０２ｓそれぞれは、互いに電気的に接続される７個の接続端子（端子Ｔｄ１〜Ｔｄ７と端子Ｔｃ１〜Ｔｃ７）を備えている。そして、アダプター３００に交換レンズ２００が装着された場合、接続部２０１ｓの７個の接続端子（端子Ｔｄ１〜Ｔｄ７）それぞれは、接続部３０２ｓの７個の接続端子（端子Ｔｃ１〜Ｔｃ７）の対応するそれぞれの端子と電気的に接続される。これにより、アダプター３００に交換レンズ２００が装着された場合、これらの接続端子を介して交換レンズ２００とアダプター３００との間で給電（電圧の供給）および信号の授受（通信）が行われる。
なお、信号の授受（通信）は、交換レンズ２００が備えているレンズ制御部２１０とアダプター３００が備えているアダプター制御部３１０との間で行われる。
【００１７】
（カメラボディの構成）
次に、カメラボディ１００の構成について説明する。
カメラボディ１００は、接続部１０１ｓ（端子Ｔａ１〜Ｔａ８）と、カメラ制御部１１０と、カメラ電源部１２０と、スイッチ１２５と、バッテリー部１９０Ｂと、を備えている。
接続部１０１ｓは、上述したように、アダプター３００の接続部３０１ｓが備えている８個の接続端子（端子Ｔｂ１〜Ｔｂ８）とそれぞれ接続される、８個の接続端子（端子Ｔａ１〜Ｔａ８）を備えている。
【００１８】
バッテリー部１９０Ｂは、バッテリー１９０を収納する。
バッテリー１９０は、カメラボディ１００、交換レンズ２００およびアダプター３００に電圧を供給する。例えば、バッテリー１９０は、リチウムイオン２次電池またはニッケル水素２次電池等である。なお、バッテリー１９０は、アルカリ電池等の１次電池であってもよい。また、カメラボディ１００は、バッテリー１９０から電圧が供給される構成に限られず、外部の直流電源（例えば、交流電源から直流電源に変換して電圧を供給するＡＣアダプター等）から電圧が供給されてもよい。
【００１９】
カメラ電源部１２０は、バッテリー１９０から供給される電圧（バッテリー電圧）をカメラボディ１００、またはカメラボディ１００に接続されるカメラアクセサリーに供給できるように変換する。例えば、カメラ電源部１２０は、バッテリー電圧を変換することで、カメラボディ１００が備えている制御系回路（主にカメラ制御部１１０）に供給する電源Ｖｃｃ０の電圧（例えば、３．３Ｖ）と、接続部１０１ｓに接続されるアダプター３００に供給する第１電源系統である電源Ｖｃｃ１の電圧（例えば、３．３Ｖ）とに分ける。この電源Ｖｃｃ１の電圧は、アダプター３００が備えている制御系回路（主にアダプター制御部３１０）に供給される。以下、この電源Ｖｃｃ１を、制御系電源Ｖｃｃ１と称する。
【００２０】
また、カメラ電源部１２０は、カメラ制御部１１０の制御により、制御系電源Ｖｃｃ１による電圧の供給状態と供給停止状態とを切り替える。なお、制御系電源Ｖｃｃ１の電圧は、端子Ｔａ３と端子Ｔｂ３とを介してアダプター制御部３１０に供給される。
【００２１】
また、バッテリー１９０の正極端子と端子Ｔａ２とが、バッテリー部１９０Ｂとスイッチ１２５を介して接続されている。これにより、上述した第１電源系統である制御系電源Ｖｃｃ１とは別に、バッテリー１９０から第２電源系統である電源ＰＷＲが生成され、その電源ＰＷＲからの電圧がアダプター電源部３２０に供給される。電源ＰＷＲの電圧は、端子Ｔａ２と端子Ｔｂ２とを介してアダプター電源部３２０に供給される。なお、バッテリー１９０に代えて、外部の直流電源から電源ＰＷＲの電圧が供給されてもよい。また、電源ＰＷＲは、制御系電源Ｖｃｃ１に比べて供給可能な電力が大きい電源系統である。以下、この電源ＰＷＲを、パワー系電源ＰＷＲと称する。
【００２２】
また、パワー系電源ＰＷＲに対応するグランド（ＧＮＤ）であるパワー系グランドＰＧＮＤは、パワー系電源ＰＷＲの電圧が供給される各部および端子Ｔａ１に接続されている。一方、制御系電源Ｖｃｃ１に対応するグランドである制御系グランドＳＧＮＤは、端子Ｔａ８に接続されている。また、パワー系グランドＰＧＮＤと制御系グランドＳＧＮＤは、バッテリー部１９０Ｂを介してそれぞれバッテリー１９０の負極端子と同電位のグランドになっている。
なお、制御系グランドＳＧＮＤは、電源Ｖｃｃ０に対応するグランドでもあり、制御系グランドＳＧＮＤがカメラ制御部１１０のグランド端子に接続されている。
【００２３】
スイッチ１２５は、カメラ制御部１１０の制御により、導通状態と遮断状態（非導通状態）とを切り替える。すなわち、スイッチ１２５は、カメラ制御部１１０の制御により、パワー系電源ＰＷＲの電圧を、端子Ｔａ２に対して供給するか否かを切り替える。
【００２４】
カメラ制御部１１０は、カメラ電源制御部１１１と、カメラ通信部１１２と、レンズ装着判定部１１３と、を備えている。カメラ制御部１１０は、カメラボディ１００が備えている各部を制御するとともに、接続部１０１ｓを介して接続されるアダプター３００のアダプター制御部３１０との間で通信を行う。以下、この通信（カメラ制御部１１０とアダプター制御部３１０との間で実行される通信）を、第１コマンド通信Ｄ１と称する。
【００２５】
ここで、カメラ制御部１１０は、制御系電源Ｖｃｃ１の電圧（例えば、３．３Ｖ）が供給されて動作する。これにより、カメラ制御部１１０は、第１コマンド通信Ｄ１を制御系電源Ｖｃｃ０の電圧（例えば、３．３Ｖ）に応じた信号レベル（信号電圧）により実行する。そのため、通信先のアダプター制御部３１０は、カメラ制御部１１０との通信において信号レベル（信号電圧）による不整合が生じないように、第１コマンド通信Ｄ１を制御系電源Ｖｃｃ１の電圧（例えば、３．３Ｖ）に応じた信号レベル（信号電圧）により実行する。
【００２６】
カメラ電源制御部１１１は、カメラボディ１００の状態、カメラ通信部１１２による通信状態、またはレンズ装着判定部１１３による判定結果に基づいて、カメラ電源部１２０およびスイッチ１２５を制御する。
カメラ通信部１１２は、アダプター制御部３１０との間で第１コマンド通信Ｄ１を独立したタイミングで実行する。
【００２７】
第１コマンド通信Ｄ１は、シリアルインターフェース方式の全二重通信による通信系である。カメラ通信部１１２は、第１コマンド通信Ｄ１として、信号ＲＤＹ、ＣＬＫ１、ＤＡＴＡＢ、ＤＡＴＡＬの４種類の信号の授受（通信）を、アダプター制御部３１０（後述するアダプター通信部３１２）と行う。
信号ＲＤＹは、カメラ通信部１１２に対して通信可否を通知する信号である。カメラ通信部１１２は、この信号ＲＤＹを、アダプター通信部３１２から端子Ｔａ４を介して受信する。また、カメラ通信部１１２は、シリアル通信用のクロック信号である信号ＣＬＫ１を、端子Ｔａ５を介してアダプター通信部３１２に対して送信（出力）する。また、カメラ通信部１１２は、カメラボディ１００に関するデータ信号である信号ＤＡＴＡＢを、端子Ｔａ６を介してアダプター通信部３１２に対して送信（出力）する。また、カメラ通信部１１２は、交換レンズ２００に関するデータ信号である信号ＤＡＴＡＬを、端子Ｔａ７を介してアダプター通信部３１２から受信する。
【００２８】
レンズ装着判定部１１３は、カメラボディ１００に交換レンズが装着されたか否かを判定する。ここで、レンズ装着判定部１１３は、カメラボディ側マウント部１０１に対して、アダプター３００を介して交換レンズ２００が装着されたか否かを判定する。なお、レンズ装着判定部１１３は、カメラボディ側マウント部１０１に対して、直接に交換レンズ（カメラボディ１００のマウント仕様に適合する交換レンズ）が装着されたか否かも同様に判定する。
【００２９】
具体的には、レンズ装着判定部１１３は、第１コマンド通信Ｄ１によりカメラ通信部１１２がレンズ情報を取得するか否かに基づいて、カメラボディ１００に交換レンズが装着されているか否かを判定する。例えば、レンズ装着判定部１１３は、カメラ通信部１１２が第１コマンド通信Ｄ１によりアダプター３００からレンズ情報を取得した場合、カメラボディ側マウント部１０１にアダプター３００を介して交換レンズ２００が装着されている状態（レンズ装着状態）と判定する。一方、レンズ装着判定部１１３は、カメラ通信部１１２が第１コマンド通信Ｄ１によりアダプター３００からレンズ情報を取得できない場合、カメラボディ側マウント部１０１にアダプター３００を介して交換レンズが装着されていない状態（レンズ非装着状態）であると判定する。
【００３０】
例えば、カメラ制御部１１０において、カメラ電源制御部１１１がアダプター３００に制御系電源Ｖｃｃ１の電圧を給電することにより、カメラ通信部１１２は、アダプター通信部３１２と第１コマンド通信Ｄ１を開始する。そして、カメラ通信部１１２がアダプター通信部３１２からレンズ情報を取得した場合、レンズ装着判定部１１３は、交換レンズ２００が装着された（装着されている装着状態）と判定する。これにより、カメラ電源制御部１１１は、アダプター３００内においてレンズ系電源系統の電圧を生成するためのパワー系電源ＰＷＲの電圧を、スイッチ１２５を制御することによりアダプター３００に供給開始する。
【００３１】
（交換レンズの構成）
次に、交換レンズ２００の構成について説明する。
交換レンズ２００は、接続部２０１ｓ（端子Ｔｄ１〜Ｔｄ７）と、レンズ制御部２１０と、光学系２２０と、光学系駆動部２３０とを備えている。
光学系２２０を介して入射した被写体光束（光学像）は、アダプター３００を介してカメラボディ１００が備えている周知の撮影素子（不図示）の受光面に導かれる。
光学系２２０は、レンズ２２１と、焦点調整用レンズ（以下、フォーカスレンズと称す）２２２と、光学像の像ぶれ補正用（防振用）レンズ（以下、ＶＲ（Vibration Reduction）レンズと称す）２２３と、絞りユニット２５０と、を備えている。
【００３２】
絞りユニット２５０は、複数の絞り羽根を含む絞り機構２５１（絞り）と、絞り機構２５１を機械的に操作する絞りレバー２５２とを備えている。したがって、交換レンズ２００の絞り開口径は、絞りレバー２５２が絞り機構２５１を機械的に操作することで変化する。また、図１に記載のカメラシステム１における交換レンズ２００は、絞り機構２５１を駆動するアクチュエータ等の動力源を内蔵しないレンズである。つまり、交換レンズ２００は、アダプター３００の絞り連動レバー３５０によって絞りレバー２５２を介して絞り機構２５１が駆動されるレンズである。
【００３３】
光学系駆動部２３０は、ＡＦ（Auto Focus）駆動部２３１と、ＡＦエンコーダ２３２と、ＶＲ駆動部２３５と、を備えている。
ＡＦ駆動部２３１は、レンズ制御部２１０の制御によりフォーカスレンズ２２２を駆動させる。また、ＡＦエンコーダ２３２は、フォーカスレンズ２２２の位置を検出してレンズ制御部２１０に検出結果を供給する。
ＶＲ駆動部２３５は、レンズ制御部２１０の制御によりＶＲレンズ２２３を駆動させる。
なお、交換レンズ２００は、ユーザに手動操作されることによってフォーカスレンズ２２２の位置を移動させるフォーカスリングを備えている構成としてもよい。
【００３４】
接続部２０１ｓは、前述したように、アダプター３００の接続部３０２ｓが備えている７個の接続端子（端子Ｔｃ１〜Ｔｃ７）とそれぞれ接続される、７個の接続端子（端子Ｔｄ１〜Ｔｄ７）を備えている。
光学系駆動部２３０に供給される電源Ｖｐの電圧は、端子Ｔｄ２を介して供給される。
以下、この電源Ｖｐをレンズ駆動系電源Ｖｐと称する。レンズ駆動系電源Ｖｐの電圧は、アダプター３００を介してパワー系電源ＰＷＲから供給される。例えば、レンズ駆動系電源Ｖｐの電圧は、アダプター３００内においてパワー系電源ＰＷＲから生成されて、端子Ｔｄ２を介して光学系駆動部２３０に供給される。
【００３５】
例えば、ＡＦ駆動部２３１が備えているフォーカスレンズ２２２を駆動するアクチュエータ、およびＶＲレンズ２２３を駆動するアクチュエータ等のように消費電力が多い光学系駆動部２３０に、この端子Ｔｄ２からレンズ駆動系電源Ｖｐの電圧が供給される。また、レンズ駆動系電源Ｖｐに対応するグランドであるパワー系グランドＰＧＮＤは、光学系駆動部２３０のグランド端子および端子Ｔｄ１に接続されている。
【００３６】
レンズ制御部２１０に供給される電源Ｖｃの電圧（例えば、５Ｖ）は、端子Ｔｄ３に接続されている。以下、この電源Ｖｃをレンズ制御系電源Ｖｃと称する。レンズ制御系電源Ｖｃの電圧は、アダプター３００を介してパワー系電源ＰＷＲから供給される。例えば、レンズ制御系電源Ｖｃの電圧は、アダプター３００内においてパワー系電源ＰＷＲから生成されて、端子Ｔｄ３を介してレンズ制御部２１０に供給される。
【００３７】
例えば、光学系駆動部２３０と比べて消費電力が少ないレンズ制御部２１０を含む制御系回路等に、この端子Ｔｄ３を介してレンズ制御系電源Ｖｃの電圧が供給される。また、レンズ制御系電源Ｖｃに対応するグランドである制御系グランドＳＧＮＤは、レンズ制御部２１０のグランド端子および端子Ｔｄ７に接続されている。
【００３８】
レンズ制御部２１０は、光学系制御部２１１と、レンズ通信部２１２と、を備えている。例えば、レンズ制御部２１０は、光学系駆動部２３０を制御するとともに、接続部２０１ｓを介して接続されるアダプター３００のアダプター制御部３１０との間で通信を行う。以下、この通信（レンズ制御部２１０とアダプター制御部３１０との間で実行される通信）を、第２コマンド通信Ｄ２と称する。
【００３９】
ここで、レンズ制御部２１０は、レンズ制御系電源Ｖｃの電圧（例えば、５Ｖ）が供給されて動作する。つまり、レンズ制御部２１０は、第２コマンド通信Ｄ２をレンズ制御系電源Ｖｃの電圧（例えば、５Ｖ）に応じた信号レベル（信号電圧）により実行する。すなわち、レンズ制御部２１０は、カメラ制御部１１０における第１コマンド通信Ｄ１とは異なる信号レベル（信号電圧）により第２コマンド通信Ｄ２を実行する。そのため、通信先のアダプター制御部３１０は、レンズ制御部２１０との通信において信号レベル（信号電圧）による不整合が生じないように、第２コマンド通信Ｄ２をレンズ制御系電源Ｖｃの電圧（例えば、５Ｖ）に応じた信号レベル（信号電圧）により実行する。アダプター制御部３１０における第１コマンド通信Ｄ１と第２コマンド通信Ｄ２との信号レベルの変換処理については、後述する。
【００４０】
光学系制御部２１１は、光学系駆動部２３０を制御する。例えば、光学系制御部２１１は、アダプター３００との通信状態に応じて、光学系駆動部２３０を初期化する。また、光学系制御部２１１は、アダプター３００を介したカメラ制御部１１０の制御に応じて、フォーカスレンズ２２２またはＶＲレンズ２２３等の駆動要素を駆動するよう、光学系駆動部２３０を制御する。また、光学系制御部２１１は、光学系駆動部２３０から供給される光学系（駆動要素）２２０に関する情報（例えば、ＡＦエンコーダ２３２に検出されたフォーカスレンズ２２２の位置等の情報）を取得する。
【００４１】
レンズ通信部２１２は、第２コマンド通信Ｄ２を独立したタイミングで実行する。
第２コマンド通信Ｄ２は、シリアルインターフェース方式の半二重通信による通信系である。レンズ通信部２１２は、第２コマンド通信Ｄ２として、信号Ｒ／Ｗ、ＣＬＫ２、ＤＡＴＡの３種類の信号の通信を、アダプター制御部３１０（後述するアダプター通信部３１２）と行う。
信号Ｒ／Ｗは、後述するデータ信号の通信方向を示すリード／ライト信号である。但し、信号Ｒ／Ｗは、交換レンズ２００とアダプター３００との間のハンドシェイクを行う信号としても利用される。レンズ通信部２１２はこの信号Ｒ／Ｗを、端子Ｔｄ４を介してアダプター通信部３１２との間で送受信する。また、レンズ通信部２１２は、シリアル通信用のクロック信号である信号ＣＬＫ２を、端子Ｔｄ５を介してアダプター通信部３１２から受信する。また、レンズ通信部２１２は、シリアル通信用のデータ信号である信号ＤＡＴＡを、端子Ｔｄ６を介してアダプター通信部３１２との間で送受信する。
【００４２】
（アダプターの構成）
次に、アダプター３００の構成について説明する。
アダプター３００は、接続部３０１ｓ（端子Ｔｂ１〜Ｔｂ８）と、接続部３０２ｓ（端子Ｔｃ１〜Ｔｃ７）と、アダプター制御部３１０と、アダプター電源部３２０と、絞り連動レバー駆動部３３０（絞り連動機構駆動部）と、記憶部３４０と、絞り連動レバー３５０（絞り連動機構部）と、を備えている。
【００４３】
接続部３０１ｓは、前述したように、カメラボディ１００の接続部１０１ｓが備えている８個の接続端子（端子Ｔａ１〜Ｔａ８）とそれぞれ接続される、８個の接続端子（端子Ｔｂ１〜Ｔｂ８）を備えている。アダプター３００とカメラボディ１００とが接続部３０１ｓおよび接続部１０１ｓを介して接続されることにより、接続部３０１ｓの端子Ｔｂ１〜Ｔｂ８のそれぞれの端子は、接続部１０１ｓの端子Ｔａ１〜Ｔａ８のそれぞれ対応する接続端子と電気的に接続される。
【００４４】
また、接続部３０２ｓは、前述したように、交換レンズ２００の接続部２０１ｓが備えている７個の接続端子（端子Ｔｄ１〜Ｔｄ７）とそれぞれ接続される、７個の接続端子（端子Ｔｃ１〜Ｔｃ７）を備えている。アダプター３００と交換レンズ２００とが、接続部３０２ｓおよび接続部２０１ｓを介して接続されることにより、接続部３０２ｓの端子Ｔｃ１〜Ｔｃ７のそれぞれの端子は、接続部２０１ｓの端子Ｔｄ１〜Ｔｄ７のそれぞれ対応する接続端子と電気的に接続される。
【００４５】
端子Ｔｂ２は端子Ｔａ２に接続され、端子Ｔｂ３は端子Ｔａ３に接続される。そして、カメラボディ１００から、端子Ｔａ２を介して端子Ｔｂ２にパワー系電源ＰＷＲの電圧が供給され、端子Ｔａ３を介して端子Ｔｂ３に制御系電源Ｖｃｃ１の電圧が供給される。これにより、アダプター電源部３２０には、カメラボディ１００から端子Ｔａ２および端子Ｔｂ２を介してパワー系電源ＰＷＲの電圧が供給される。また、アダプター制御部３１０には、カメラボディ１００から端子Ｔａ３および端子Ｔｂ３を介して制御系電源Ｖｃｃ１の電圧（例えば、３．３Ｖ）が供給される。
【００４６】
このように、アダプター３００には、カメラボディ１００から制御系電源Ｖｃｃ１（第１電源系統）の電圧と、制御系電源Ｖｃｃ１と比べて供給可能な電力が大きいパワー系電源ＰＷＲ（第２電源系統）の電圧とがそれぞれ供給される。
【００４７】
アダプター電源部３２０は、カメラボディ１００から供給されたパワー系電源ＰＷＲの電圧から、交換レンズ２００に供給するレンズ系電源系統の電圧を生成する。例えば、アダプター電源部３２０は、レンズ系電源系統の電圧として、レンズ駆動系電源Ｖｐ（第３電源系統）の供給電圧と、レンズ制御系電源Ｖｃ（第４電源系統）の供給電圧（例えば、５Ｖ）とを生成する。また、アダプター電源部３２０は、生成したレンズ制御系電源Ｖｃの電圧をアダプター制御部３１０にも供給する。
【００４８】
さらに、アダプター電源部３２０は、パワー系電源ＰＷＲの電圧から、上述したレンズ駆動系電源Ｖｐの供給電圧とレンズ制御系電源Ｖｃの供給電圧とは別に、絞り連動レバー駆動部３３０に電圧を供給する電源Ｖｍ（第５電源系統）を生成する。以下、この電源Ｖｍを絞り駆動用電源Ｖｍと称する。
【００４９】
例えば、アダプター電源部３２０は、パワー系電源ＰＷＲの電圧を予め定められた絞り駆動用電源Ｖｍの電圧に変換する電圧変換部を備えている。この電圧変換部は、例えば、ＤＣ−ＤＣコンバータを備えている。また、この電圧変換部は、例えば予め定められた電圧（予め定められた絞り駆動用電源Ｖｍの電圧）まで昇圧または降圧した電圧に変換する。そして、アダプター電源部３２０は、生成した絞り駆動用電源Ｖｍの電圧を絞り連動レバー駆動部３３０に供給する。
【００５０】
なお、アダプター電源部３２０は、絞り駆動用電源Ｖｍの電圧をレンズ制御系電源Ｖｃの電圧に変換する（生成する）第１レギュレータ部を備える構成としてもよい。
例えば、この第１レギュレータ部は、絞り駆動用電源Ｖｍの電圧を予め定められた電圧（予め定められたレンズ制御系電源Ｖｃの電圧）まで降圧した電圧に変換する。また、例えば、この第１レギュレータ部は、第１リニアレギュレータを備えている構成としてもよい。なお、絞り駆動用電源Ｖｍの電圧は、レンズ制御系電源Ｖｃの電圧より高い電圧に設定されている。
【００５１】
また、アダプター電源部３２０は、パワー系電源ＰＷＲの電圧をレンズ駆動系電源Ｖｐの電圧に変換する（生成する）第２レギュレータ部を備えている構成としてもよい。例えば、この第２レギュレータ部は、パワー系電源ＰＷＲの電圧を予め定められた電圧（予め定められたレンズ駆動系電源Ｖｐの電圧）まで降圧した電圧に変換する。また、例えば、この第２レギュレータ部は、第２リニアレギュレータを備えている構成としてもよい。なお、この場合、第２レギュレータ部は、第１レギュレータ部と比べて供給可能な電力が大きくなる（給電量が多い）ように構成されている。
【００５２】
なお、アダプター電源部３２０により変換された電源系それぞれの接続は、以下のようになっている。
端子Ｔｃ２は、アダプター電源部３２０のレンズ駆動系電源Ｖｐ出力端子（レンズ駆動系電源Ｖｐの電圧を出力する端子）に接続されている。また、端子Ｔｃ３は、アダプター電源部３２０のレンズ制御系電源Ｖｃ出力端子（レンズ制御系電源Ｖｃの電圧を出力する端子）に接続されている。これにより、アダプター電源部３２０は、端子Ｔｃ２にレンズ駆動系電源Ｖｐの電圧を供給し、端子Ｔｃ３にレンズ制御系電源Ｖｃの電圧を供給する。
また、アダプター電源部３２０は、レンズ駆動系電源Ｖｐの電圧を端子Ｔｃ２および端子Ｔｄ２を介して交換レンズ２００の光学系駆動部２３０に供給する。
また、アダプター電源部３２０は、レンズ制御系電源Ｖｃの電圧を端子Ｔｃ３および端子Ｔｄ３を介して交換レンズ２００のレンズ制御部２１０に供給する。
【００５３】
このように、アダプター電源部３２０は、交換レンズ２００に供給する電圧を、カメラボディ１００から供給されるパワー系電源ＰＷＲの電圧から生成する。これにより、アダプター３００は、カメラボディ１００から供給される制御系電源Ｖｃｃ１の電圧よりも供給可能な電力量が十分に多いパワー系電源ＰＷＲの電圧から交換レンズ２００に供給する電圧を生成することができる。
【００５４】
また、アダプター電源部３２０は、パワー系電源ＰＷＲの電圧からレンズ制御系電源Ｖｃの電圧（例えば、５Ｖ）を生成する。そのため、アダプター３００は、制御系電源Ｖｃｃ１の電圧（例えば、３．３Ｖ）から昇圧して生成する回路を備える必要がない。
【００５５】
また、アダプター電源部３２０は、レンズ制御系電源Ｖｃの電圧（例えば、５Ｖ）をアダプター制御部３１０にも供給する。このレンズ制御系電源Ｖｃの電圧は、アダプター制御部３１０が第２コマンド通信Ｄ２をレンズ制御系電源Ｖｃの電圧（例えば、５Ｖ）に応じた電圧で実行するための電圧としてアダプター制御部３１０に供給されている。
【００５６】
さらに、アダプター電源部３２０は、アダプター３００内の絞り連動レバー駆動部３３０に供給する絞り駆動用電源Ｖｍの電圧を、制御系電源Ｖｃｃ１の電圧よりも供給可能な電力量が十分に多いパワー系電源ＰＷＲの電圧から生成する。このように、パワー系電源ＰＷＲは、制御系電源Ｖｃｃ１よりも供給可能な電力量が十分に多いため、パワー系電源ＰＷＲを様々な回路への給電に利用することができ、且つ本実施形態のようにパワー系電源ＰＷＲから絞り連動レバー駆動部３３０に給電する電圧を作成しても（パワー系電源ＰＷＲを兼用しても）、その兼用先の他の回路の動作（例えば上述のレンズ制御部２１０の動作）に悪影響を与えることがない。
【００５７】
また、端子Ｔｂ１は、カメラボディ１００の端子Ｔａ１に接続されている。これにより、パワー系グランドＰＧＮＤは、端子Ｔａ１を介して端子Ｔｂ１に接続されている。また、端子Ｔｂ１と端子Ｔｃ１とは、アダプター３００内でパワー系グランドＰＧＮＤとして接続されている。さらに、端子Ｔｃ１は、交換レンズ２００の端子Ｔｄ１に接続されている。これにより、パワー系グランドＰＧＮＤは、レンズ駆動系電源Ｖｐに対応するグランドとして、端子Ｔｃ１を介して端子Ｔｄ１に接続されている。なお、パワー系グランドＰＧＮＤは、アダプター電源部３２０および絞り連動レバー駆動部３３０等のグランドとしても接続されている。
【００５８】
また、端子Ｔｂ８は、カメラボディ１００の端子Ｔａ８に接続されている。これにより、制御系グランドＳＧＮＤは、端子Ｔａ８を介して端子Ｔｂ８に接続されている。また、端子Ｔｂ８と端子Ｔｃ７とは、アダプター３００内で制御系グランドＳＧＮＤとして接続されている。さらに、端子Ｔｃ７は、交換レンズ２００の端子Ｔｄ７に接続されている。
これにより、制御系グランドＳＧＮＤは、レンズ制御系電源Ｖｃに対応するグランドとして、端子Ｔｃ７を介して端子Ｔｄ７に接続されている。また、制御系グランドＳＧＮＤは、アダプター制御部３１０のグランドとしても接続されている。
【００５９】
絞り連動レバー３５０は、交換レンズ２００の絞り開口径（絞りによる絞り込み量、開口サイズ、開口率、絞り値）を変化させる複数の絞り羽根を含む絞り機構２５１（絞り）を変位させるためのレバーである。アダプター３００に交換レンズ２００が装着された状態において、この絞り連動レバー３５０は、絞りレバー２５２と嵌合し、交換レンズ２００の絞りレバー２５２の位置と連動して移動するよう構成されている。すなわち、絞り連動レバー３５０は、交換レンズ２００が備えている絞り機構２５１の絞り値に応じた位置に、絞りレバー２５２と連動して移動する。
【００６０】
絞り連動レバー駆動部３３０は、アダプター制御部３１０の制御により絞り連動レバー３５０の位置を移動させる。絞り連動レバー駆動部３３０は、絞り連動レバー３５０を移動させることにより、交換レンズ２００の絞り機構２５１の絞り開口径を絞りレバー２５２を介して変位させる。また、絞り連動レバー駆動部３３０は、絞り連動レバー３５０の位置を検出して、該検出結果をアダプター制御部３１０に出力する。
【００６１】
例えば、絞り連動レバー駆動部３３０は、絞り連動レバー３５０を駆動する絞り駆動用アクチュエータ（例えば、ステッピングモーター）、絞り駆動用アクチュエータを駆動制御するモーター駆動部、および、絞り連動レバー３５０の位置を検出する絞り連動レバー位置検出部等を備えている。これにより、絞り連動レバー駆動部３３０において、モーター駆動部が絞り駆動用アクチュエータを駆動することにより、絞り駆動用アクチュエータが絞り連動レバー３５０を駆動する。また、絞り連動レバー駆動部３３０において、絞り連動レバー位置検出部（例えば、フォトインタラプタ）が、絞り連動レバー３５０の位置を検出して、検出結果をアダプター制御部３１０に供給する。
【００６２】
記憶部３４０は、例えば、不揮発性メモリーであり、交換レンズ２００のレンズ情報を予め記憶している。ここで、レンズ情報とは、カメラボディ１００から要求された場合に、本来なら交換レンズ２００が送信する情報である。レンズ情報は、例えば光学系２２０の情報が含まれており、射出瞳位置情報、開放Ｆ値情報、開放絞り値、収差補正情報、絶対距離情報、ＡＦ補正情報、焦点距離情報などの情報である。記憶部３４０は、これらのレンズ情報として、予め定められている所定のレンズ情報（ダミーデータ）を記憶している。この予め定められている所定のレンズ情報は、例えば、カメラボディ１００において、交換レンズ２００が装着されたと判定されるために必要なレンズ情報である。また、この予め定められている所定のレンズ情報は、アダプター３００が、交換レンズ２００からレンズ情報を取得する前にカメラボディ１００に送信することができるレンズ情報として記憶部３４０に記憶されている。このように、記憶部３４０には、本来なら交換レンズ２００が送信するレンズ情報の代替情報として、上述の予め定められている所定のレンズ情報（ダミーデータ）が記憶されている。
【００６３】
アダプター制御部３１０は、アダプター電源制御部３１１と、アダプター通信部３１２と、コマンド変換部３１３と、絞り制御部３１４と、を備えている。例えば、アダプター制御部３１０は、カメラ制御部１１０と第１コマンド通信Ｄ１を実行する。また、アダプター制御部３１０は、第１コマンド通信Ｄ１によるカメラ制御部１１０からの制御に基づいて、アダプター３００が備えている各部において行われる処理を制御するとともに、レンズ制御部２１０と第２コマンド通信Ｄ２を行う。また、アダプター制御部３１０は、互いに通信規格、通信データの種類、通信信号の信号レベル（信号電圧）等が異なる第１コマンド通信Ｄ１と第２コマンド通信Ｄ２とを通信可能とするように中継する。
【００６４】
さらに、アダプター制御部３１０は、カメラボディ１００から要求されたレンズ情報を記憶部３４０から読み出して、読み出したレンズ情報をカメラボディ１００に対して送信するボディ送信用レンズ情報として生成する。そして、アダプター制御部３１０は、生成したボディ送信用レンズ情報をカメラボディ１００に対して送信する。例えば、アダプター制御部３１０は、後述するレンズ起動処理の処理過程において、レンズ制御部２１０と第２コマンド通信Ｄ２による通信が確立する前に、本来レンズ制御部２１０から取得するレンズ情報に代えて、記憶部３４０に記憶されているレンズ情報をカメラ制御部１１０に送信する。
【００６５】
アダプター電源制御部３１１は、カメラ制御部１１０またはレンズ制御部２１０との通信結果、またはアダプター３００の状態等に応じて、アダプター電源部３２０を制御する。例えば、アダプター電源制御部３１１は、カメラ制御部１１０またはレンズ制御部２１０との通信結果に応じてアダプター電源部３２０を制御して、レンズ制御系電源Ｖｃ、レンズ駆動系電源Ｖｐ、または絞り駆動用電源Ｖｍの電圧を供給させるか否かをそれぞれ制御する。
【００６６】
絞り制御部３１４は、カメラ制御部１１０またはレンズ制御部２１０との通信結果に応じて、絞り連動レバー駆動部３３０を制御する。
例えば、絞り制御部３１４は、カメラ制御部１１０との通信結果に応じて、絞り機構２５１の絞り開口径が、カメラ制御部１１０からの制御指示に応じた絞り開口径になるように絞り連動レバー駆動部３３０を制御する。
また、絞り制御部３１４は、処理に応じて絞り連動レバー３５０の位置を初期の位置に移動させる制御を絞り連動レバー駆動部３３０にする。例えば、絞り制御部３１４は、初期の位置として、絞り機構２５１が開放になる位置、絞り機構２５１の設定絞り値に応じて移動する絞りレバー２５２に干渉しない位置である退避位置、等に絞り連動レバー３５０を移動させるように絞り連動レバー駆動部３３０を制御する。
また、絞り制御部３１４は、絞り連動レバー駆動部３３０において検出された絞り連動レバー３５０の位置を取得する。
【００６７】
アダプター通信部３１２は、カメラ通信部１１２との間で第１コマンド通信Ｄ１を実行し、レンズ通信部２１２との間で第２コマンド通信Ｄ２を実行する。例えば、アダプター通信部３１２は、第１コマンド通信Ｄ１によりカメラ通信部１１２から受信した通信データ対してコマンド変換部３１３による変換処理を実行させて、変換した通信データを第２コマンド通信Ｄ２によりレンズ通信部２１２に送信する。また、アダプター通信部３１２は、第２コマンド通信Ｄ２によりレンズ通信部２１２から受信した通信データに対してコマンド変換部３１３による変換処理を実行させて、変換した通信データを第１コマンド通信Ｄ１によりカメラ通信部１１２に送信する。さらに、アダプター通信部３１２は、記憶部３４０から所定のレンズ情報（ダミーデータ）を読み出して、読み出したレンズ情報を第１コマンド通信Ｄ１によりカメラ通信部１１２に送信する。
【００６８】
コマンド変換部３１３は、互いに異なる通信規格である第１コマンド通信Ｄ１と第２コマンド通信Ｄ２との通信を中継する。例えば、アダプター通信部３１２は、シリアルインターフェース方式の全二重通信である第１コマンド通信Ｄ１の通信規格によりカメラ通信部１１２から受信したデータを、シリアルインターフェース方式の半二重通信である第２コマンド通信Ｄ２の通信規格のデータに変換してレンズ通信部２１２へ送信する。一方、アダプター通信部３１２は、シリアルインターフェース方式の半二重通信である第２コマンド通信Ｄ２の通信規格によりレンズ通信部２１２から受信したデータを、シリアルインターフェース方式の全二重通信である第１コマンド通信Ｄ１の通信規格のデータに変換してカメラ通信部１１２へ送信する。また、アダプター通信部３１２は、第１コマンド通信Ｄ１と第２コマンド通信Ｄ２とにおいて送受信される通信データの種類や通信データのフォーマットの整合性をとるための変換処理をする。
【００６９】
また、コマンド変換部３１３は、第１コマンド通信Ｄ１と第２コマンド通信Ｄ２とにおいて送受信される信号レベル（信号電圧）の変換を行う。例えば、コマンド変換部３１３は、アダプター通信部３１２とカメラ通信部１１２との通信において信号レベル（信号電圧）による不整合が生じないように、第１コマンド通信Ｄ１の信号レベルを制御系電源Ｖｃｃ１の電圧（例えば、３．３Ｖ）に応じた信号レベル（信号電圧）にする。また、コマンド変換部３１３は、アダプター通信部３１２とレンズ通信部２１２との通信において信号レベル（信号電圧）による不整合が生じないように、第２コマンド通信Ｄ２の信号レベルをレンズ制御系電源Ｖｃの電圧（例えば、５Ｖ）に応じた信号レベル（信号電圧）にする。
【００７０】
なお、アダプター制御部３１０は、例えば、揮発性メモリー（不図示）を備えている。アダプター通信部３１２は、受信したデータ、コマンド変換部３１３において変換処理を実行したデータ、および記憶部３４０から読み出したデータ等に基づいて生成したデータをこの不図示の揮発性メモリーに一時的に記憶させる。そして、アダプター通信部３１２は、生成したデータを不図示の揮発性メモリーから読み出して送信する。
【００７１】
アダプター通信部３１２とカメラ通信部１１２とは、信号ＲＤＹ、ＣＬＫ１、ＤＡＴＡＢ、ＤＡＴＡＬの４種類の信号線を介して第１コマンド通信Ｄ１の通信を実行する。端子Ｔｂ４は、信号ＲＤＹの信号線を介してアダプター通信部３１２に接続されている。また、端子Ｔｂ５は信号ＣＬＫ１の信号線、端子Ｔｂ６は信号ＤＡＴＡＢの信号線、および端子Ｔｂ７は信号ＤＡＴＡＬの信号線、を介してそれぞれアダプター通信部３１２に接続されている。そして、端子Ｔｂ４は、カメラボディ１００の端子Ｔａ４に接続されており、端子Ｔｂ５は端子Ｔａ５に、端子Ｔｂ６は端子Ｔａ６に、端子Ｔｂ７は端子Ｔａ７に、それぞれ接続されている。
つまり、第１コマンド通信Ｄ１の通信を行う信号ＲＤＹ、ＣＬＫ１、ＤＡＴＡＢ、ＤＡＴＡＬの４種類の信号線は、端子Ｔｂ４〜Ｔｂ７と端子Ｔａ４〜Ｔａ７とを介してアダプター通信部３１２とカメラ通信部１１２との間で接続されている。
【００７２】
一方、アダプター通信部３１２とレンズ通信部２１２とは、信号Ｒ／Ｗ、ＣＬＫ２、ＤＡＴＡの３種類の信号線を介して第２コマンド通信Ｄ２の通信を実行する。端子Ｔｃ４は、信号Ｒ／Ｗの信号線を介してアダプター通信部３１２に接続されている。また、端子Ｔｃ５は信号ＣＬＫ２の信号線、端子Ｔｃ６は信号ＤＡＴＡの信号線を介してアダプター通信部３１２に接続されている。そして、端子Ｔｃ４は、交換レンズ２００の端子Ｔｄ４に接続されており、端子Ｔｃ５は端子Ｔｄ５に、端子Ｔｃ６は端子Ｔｄ６に、それぞれ接続されている。
つまり、第２コマンド通信Ｄ２の通信を行う信号Ｒ／Ｗ、ＣＬＫ２、ＤＡＴＡの３種類の信号線は、端子Ｔｃ４〜Ｔｃ６と端子Ｔｄ４〜Ｔｄ６とを介してアダプター通信部３１２とレンズ通信部２１２との間で接続されている。
【００７３】
このように、アダプター通信部３１２を介してカメラ通信部１１２とレンズ通信部２１２との間において、第１コマンド通信Ｄ１の通信および第２コマンド通信Ｄ２の通信が行われる。この第１コマンド通信Ｄ１の通信および第２コマンド通信Ｄ２の通信においては、カメラ通信部１１２とレンズ通信部２１２との間でアダプター通信部３１２を介して、例えば、光学系２２０の情報、制御指示等の要求コマンド、および要求コマンドに対する応答データ等が通信される。以下、この第１コマンド通信Ｄ１および第２コマンド通信Ｄ２における通信をコマンドデータ通信とも称する。
なお、光学系２２０の情報とは、光学系２２０の種類を示す情報（光学系２２０の仕様、機能、光学特性等を示す情報）、または光学系２２０の駆動状態を示す情報等である。
【００７４】
以上説明したように、アダプター３００は、カメラボディ１００から供給される制御系電源Ｖｃｃ１の電圧およびパワー系電源ＰＷＲの電圧のうち、パワー系電源ＰＷＲの電圧から交換レンズ２００に供給するレンズ駆動系電源Ｖｐの電圧およびレンズ制御系電源Ｖｃの電圧を生成する。つまり、アダプター制御部３１０には、カメラボディ１００から制御系電源Ｖｃｃ１の電圧（例えば、３．３Ｖ）が供給され、交換レンズ２００のレンズ制御部２１０には、アダプター３００においてパワー系電源ＰＷＲから生成されたレンズ制御系電源Ｖｃの電圧（例えば、５Ｖ）が供給される。また、交換レンズ２００の光学系駆動部２３０には、アダプター３００においてパワー系電源ＰＷＲから生成されたレンズ駆動系電源Ｖｐの電圧が供給される。また、アダプター３００は、パワー系電源ＰＷＲから生成した絞り駆動用電源Ｖｍの電圧を絞り連動レバー駆動部３３０に供給して絞り連動レバー３５０を駆動することにより、交換レンズ２００内の絞り機構２５１を駆動する。さらに、アダプター３００は、カメラボディ１００と交換レンズ２００との間のコマンドデータ通信を中継する。
【００７５】
＜レンズ起動処理＞
次に、本実施形態におけるカメラシステム１におけるレンズ起動処理について説明する。例えば、カメラボディ１００の主電源がオンされた場合、または、カメラボディ１００の主電源がオンされている状態において、アダプター３００を介して交換レンズ２００が装着された場合、アダプター３００は、カメラボディ１００の制御により、「レンズ起動処理」を実行する。ここで、「レンズ起動処理」とは、例えば、交換レンズ２００が装着されているか否かを判定する処理、および、交換レンズ２００が装着されている場合に交換レンズ２００に対して給電処理および通信処理を実行してカメラボディ１００から交換レンズ２００を制御可能な状態に起動させる処理である。
【００７６】
ここで、カメラボディ１００は、前述したようにレンズ情報を取得することに応じて、パワー系電源ＰＷＲの電圧を供給開始する仕様である。例えば、カメラボディ１００に対して直接に交換レンズ（カメラボディ１００のマウント仕様に適合する交換レンズ）が装着された場合、まず、この装着された交換レンズは、制御系電源Ｖｃｃ１の電圧が給電されることによりコマンドデータ通信をカメラボディ１００と実行する。カメラボディ１００は、コマンドデータ通信によりレンズ情報を取得した場合、この取得したレンズ情報に基づいて、必要に応じて（給電が必要な交換レンズである場合）パワー系電源ＰＷＲの電圧を供給開始する。一方、カメラボディ１００がコマンドデータ通信によりレンズ情報を取得しない場合とは、例えば給電が不要な交換レンズ（例えば、電気的な回路を搭載しないマニュアル操作される交換レンズ）が装着されている場合であるため、カメラボディ１００は、パワー系電源ＰＷＲの電圧を供給しない。
すなわち、カメラボディ１００は、レンズ情報を取得することに応じてパワー系電源ＰＷＲの電圧を供給開始する仕様である。そのため、カメラボディ１００は、レンズ情報を取得できないような交換レンズ（例えば、電気的な回路を搭載しないマニュアル操作される交換レンズ）に、不必要な給電を行わないようにすることができる。
【００７７】
ところで、このカメラボディ１００に対して、アダプター３００を介して交換レンズ２００が装着された場合、カメラボディ１００が交換レンズ２００からレンズ情報を取得するためには、アダプター３００と交換レンズ２００との第１コマンド通信Ｄ１、およびカメラボディ１００とアダプター３００との第２コマンド通信Ｄ２の２つの通信処理が少なくとも必要になる（２つの通信処理が成立（確立）する必要がある）。すなわち、レンズ起動処理において、カメラボディ１００は、アダプター３００が交換レンズ２００と第２コマンド通信Ｄ２により取得したレンズ情報を、さらに第１コマンド通信Ｄ１によりアダプター３００から取得するまで、パワー系電源ＰＷＲの電圧を供給開始することができない。
【００７８】
そのため、アダプター３００は、カメラボディ１００がレンズ情報を取得することに応じてパワー系電源ＰＷＲの電圧を供給するまで、絞り駆動用電源Ｖｍの電圧、およびレンズ系電源系統の電圧を生成してアダプター３００内、または交換レンズ２００へ給電することができない。これにより、カメラボディ１００に対してアダプター３００を介して交換レンズ２００を装着した場合は、カメラボディ１００に対して直接に交換レンズ（カメラボディ１００のマウント仕様に適合する交換レンズ）を装着した場合に比べて、レンズ起動処理の処理時間が長くなるという問題がある。また、パワー系電源ＰＷＲの電圧が給電される前に交換レンズ２００からレンズ情報を取得するためには、アダプター３００内に、制御系電源Ｖｃｃ１の電圧（例えば、３．３Ｖ）からレンズ制御系電源Ｖｃの電圧（例えば、５Ｖ）を生成するための昇圧回路が必要となるため、回路規模やコストが増加するという問題がある。
【００７９】
本実施形態のアダプター３００は、アダプター３００内の記憶部３４０に記憶されている所定のレンズ情報（ダミーデータ）を、まずカメラボディ１００に送信することにより、カメラボディ１００からパワー系電源ＰＷＲの電圧の供給を開始させる。また、アダプター３００は、パワー系電源ＰＷＲの電圧の供給が開始された後で、交換レンズ２００から取得したレンズ情報をカメラボディ１００に送信する。これにより、アダプター３００は、レンズ起動処理の処理時間を短縮するとともに、回路規模やコストの増加も抑制することができる。
【００８０】
例えば、「レンズ起動処理」において、アダプター制御部３１０は、制御系電源Ｖｃｃ１（第１電源系統）からの給電を受けることに応じて、レンズ系電源系統の電圧を交換レンズ２００に対して供給させる前に、予め定められている所定のレンズ情報（ダミーデータ）をカメラボディ１００のカメラ制御部１１０に送信する。そして、アダプター制御部３１０が、この所定のレンズ情報（ダミーデータ）をカメラ制御部１１０に送信することに応じて、カメラボディ１００からパワー系電源ＰＷＲ（第２電源系統）の電圧がアダプター３００に供給される。次に、アダプター制御部３１０は、カメラボディ１００から供給されたパワー系電源ＰＷＲの電圧から、レンズ系電源系統の電圧をアダプター電源部３２０に生成させる。
【００８１】
つまり、アダプター制御部３１０は、所定のレンズ情報（ダミーデータ）をカメラ制御部１１０に送信することに応じて、カメラボディ１００からパワー系電源ＰＷＲからの給電が開始された後、レンズ系電源系統の電圧をアダプター電源部３２０に生成させて交換レンズ２００に対して供給させる。
【００８２】
また、アダプター制御部３１０は、レンズ系電源系統の電圧を交換レンズ２００に対して供給させた後に、交換レンズ２００が有する光学系２２０の情報を含むレンズ情報を交換レンズ２００のレンズ制御部２１０と通信することにより取得する。そして、アダプター制御部３１０は、取得したレンズ情報をカメラ制御部１１０に対して送信する。
【００８３】
なお、アダプター制御部３１０は、パワー系電源ＰＷＲからの給電が開始された後、レンズ系電源系統の電圧として、まずレンズ制御系電源Ｖｃ（第４電源系統）の電圧をアダプター電源部３２０に生成させて交換レンズ２００に対して供給させてもよい。これにより、アダプター制御部３１０は、交換レンズ２００が有する光学系２２０の情報を含むレンズ情報を交換レンズ２００のレンズ制御部２１０と通信することにより取得してもよい。
【００８４】
また、アダプター制御部３１０は、パワー系電源ＰＷＲからの給電が開始されることに応じて、絞り駆動用電源Ｖｍ（第５電源系統）の電圧をアダプター電源部３２０に生成させて絞り連動レバー駆動部３３０に対して供給させる。
【００８５】
図２は、カメラシステム１の処理の一例を示すフローチャートである。
この図は、例えば、カメラボディ１００の主電源がオンされて撮影動作が可能な撮影モードが開始された場合の、上述の「レンズ起動処理」を含む処理の一例を示している。
【００８６】
まず、カメラ制御部１１０のカメラ通信部１１２は、アダプター通信部３１２に対して通信開始を要求する信号およびレンズ情報の応答を要求する信号を送信する（ステップＳ１１）。次に、カメラ通信部１１２は、アダプター通信部３１２と通信が成立したか否かを判定する（ステップＳ１２）。
【００８７】
カメラ通信部１１２は、ステップＳ１２において通信が不成立であると判定した場合、アダプター通信部３１２と通信が成立するまで、ステップＳ１１の処理を繰り返す。一方、カメラ通信部１１２は、ステップＳ１２において通信が成立したと判定した場合、アダプター通信部３１２からレンズ情報を取得する。すなわち、アダプター通信部３１２は、記憶部３４０から読み出した所定のレンズ情報（ダミーデータ）をカメラ通信部１１２に送信する。そして、カメラ通信部１１２は、アダプター通信部３１２から所定のレンズ情報（ダミーデータ）を受信（取得）する。
【００８８】
カメラ制御部１１０は、カメラ通信部１１２がレンズ情報を取得したことに応じて、スイッチ１２５を制御することによりパワー系電源ＰＷＲの電圧をアダプター３００に対して給電させる（ステップＳ１３）。これにより、アダプター制御部３１０は、パワー系電源ＰＷＲの電圧からレンズ系電源系統の電圧を、アダプター電源部３２０に生成させて交換レンズ２００に対して給電させる。
【００８９】
次に、アダプター通信部３１２は、レンズ通信部２１２に対して通信開始を要求する（ステップＳ１４）。続いて、アダプター通信部３１２は、レンズ通信部２１２と通信が成立したか否かを判定する（ステップＳ１５）。アダプター通信部３１２は、ステップＳ１５において通信が不成立であると判定した場合、レンズ通信部２１２と通信が成立するまで、ステップＳ１４の処理を繰り返す。
【００９０】
一方、アダプター通信部３１２は、ステップＳ１５において通信が成立したと判定した場合、レンズ通信部２１２から交換レンズ２００のレンズ情報を取得して、取得したレンズ情報（アダプター３００が交換レンズ２００から取得した正しいレンズ情報）をカメラ通信部１１２に送信する。また、アダプター通信部３１２を介してカメラ通信部１１２とレンズ通信部２１２との通信が可能となり、カメラシステム１は、撮影動作が可能な状態となる。例えば、ユーザの撮影操作に応じて、カメラシステム１は、撮影動作を実行する（ステップＳ１６）。
【００９１】
また、カメラシステム１が、撮影動作が可能な状態（主電源がオンされて動作している状態）において、カメラ制御部１１０は、カメラボディ１００の主電源がオフされたか否かを判定する（ステップＳ１７）。例えば、ユーザの操作により主電源がオフされた場合、カメラ制御部１１０は、主電源がオフされたことを示す信号を受信することに応じて、パワー系電源ＰＷＲの電圧の供給を停止させる（ステップＳ１８）。これにより、アダプター３００から交換レンズ２００への給電も停止される。
【００９２】
次に、カメラ通信部１１２は、アダプター通信部３１２との通信（コマンドデータ通信、第１コマンド通信Ｄ１）を遮断して処理を終了する（ステップＳ１９）。
【００９３】
このように、アダプター制御部３１０は、交換レンズ２００からレンズ情報を取得する前に、カメラ制御部１１０からの要求に応じて所定のレンズ情報（ダミーデータ）をカメラ制御部１１０に送信する。すなわち、アダプター制御部３１０は、カメラ制御部１１０にレンズ情報（ダミーデータ）を取得させることができる。そのため、アダプター制御部３１０は、カメラボディ１００からアダプター３００に対するパワー系電源ＰＷＲの電圧の供給を開始させることができる。
【００９４】
これにより、アダプター３００は、交換レンズ２００からレンズ情報を取得する前であっても、カメラボディ１００からアダプター３００へのパワー系電源ＰＷＲの電圧の供給を開始させることができるとともに、パワー系電源ＰＷＲの電圧からレンズ系電源系統の電圧を生成して交換レンズ２００に対して供給することができる。すなわち、アダプター３００は、カメラボディ１００に対してアダプター３００を介して交換レンズ２００を装着した場合にレンズ起動処理の処理時間が長くなることを抑制することができる。また、アダプター３００は、パワー系電源ＰＷＲの電圧が給電される前に交換レンズ２００に対して給電する必要がない。そのため、アダプター３００内に、制御系電源Ｖｃｃ１の電圧（例えば、３．３Ｖ）からレンズ制御系電源Ｖｃの電圧（例えば、５Ｖ）を生成するための昇圧回路が不要であり、回路規模やコストの増加を抑制することができる。
【００９５】
このように、アダプター３００は、互いに異なる仕様のカメラボディ１００と交換レンズ２００とを中継することにより、カメラボディ１００から交換レンズ２００に対して適切に給電することができる。また、アダプター３００は、互いに異なる仕様のカメラボディ１００と交換レンズ２００とを中継することにより、カメラボディ１００と交換レンズ２００との間の通信を可能にすることができる。また、アダプター３００は、交換レンズ２００に対する給電および通信を開始した後に、交換レンズ２００からレンズ情報を取得するとともに、取得したレンズ情報をカメラボディ１００に送信することができる。
よって、アダプター３００は、カメラボディ１００の制御によって、交換レンズ２００を介して入射された被写体光束（光学像）を撮影することが可能になる。すなわち、アダプター３００は、レンズ交換式のカメラシステム１において、交換レンズ２００を適切に機能させることができる。
【００９６】
＜交換レンズの他の形態＞
次に、交換レンズの他の形態について説明する。
アダプター３００を介してカメラボディ１００と接続して機能させることが可能なレンズは、図１を用いて説明した交換レンズ２００に限られるものではない。交換レンズ２００の他に、様々な交換レンズを、アダプター３００を介してカメラボディ１００と接続して機能させることが可能である。
なお、図１を用いて説明した交換レンズ２００は、通信可能なレンズ制御部２１０を備えており、レンズ制御部２１０が通信結果に基づいて光学系駆動部２３０を制御する交換レンズである。この交換レンズ２００を、以下の記述においてＣＰＵ（Central Processing Unit）レンズとも称する。
【００９７】
（非ＣＰＵレンズ）
これに対して、図３に示すように、通信可能なレンズ制御部を備えていない交換レンズ２００Ｂを、アダプター３００を介してカメラボディ１００と接続して機能させることも可能である。
図３は、通信可能なレンズ制御部を備えていない交換レンズ２００Ｂを備えているカメラシステム１Ｂの構成の一例を示す概略ブロック図である。同図において図１の各部に対応する部分には同一の符号を付け、その説明を省略する。
この図において、カメラボディ１００と交換レンズ２００Ｂとは、アダプター３００を介して装着されている。
【００９８】
例えば、交換レンズ２００Ｂは、光学系２２０Ｂを電気的に駆動しない仕様のレンズであって、ユーザの操作によってフォーカスレンズ２２２Ｂの位置を調整可能なフォーカスリング２６０Ｂと、ユーザの操作によって絞り機構２５１Ｂの絞り開口径を変更可能な絞り環２５５Ｂとを備えているレンズである。また、図３に示す交換レンズ２００Ｂは、図１におけるレンズ制御部２１０、光学系駆動部２３０、および電気的な接続端子（Ｔｄ１〜Ｔｄ７）を備えていない点で、図１に示す交換レンズ２００と異なる。
【００９９】
アダプター３００は、電気的な接続端子（接点）を有していない交換レンズ２００Ｂに対して給電しないように制御する。例えば、アダプター３００は、「レンズ起動処理」において、カメラボディ１００に所定のレンズ情報（ダミーデータ）を送信することにより、カメラボディ１００からパワー系電源ＰＷＲの給電を受ける。次に、アダプター３００は、パワー系電源ＰＷＲの電圧からレンズ制御系電源Ｖｃの電圧を生成して交換レンズ２００Ｂに対して給電する。しかし、アダプター３００は、交換レンズ２００Ｂと通信が成立しないため、光学系を電気的に駆動しない仕様のレンズである交換レンズ２００Ｂが装着されている状態、または交換レンズが装着されていない状態（非装着状態）と判定して、レンズ制御系電源Ｖｃの電圧の供給を停止する。
【０１００】
また、アダプター３００は、「レンズ起動処理」において、絞り連動レバー駆動部３３０に絞り駆動用電源Ｖｍを給電して、絞り連動レバー３５０の制御をする。例えば、交換レンズ２００Ｂにおいては、ユーザによって絞り環２５５Ｂが操作されることにより、絞り機構２５１Ｂの絞り開口径（開度、絞り値）が変更される。そのため、アダプター制御部３１０は、絞り機構２５１Ｂの絞り開口径（開度、絞り値）が変更されることに応じて位置が移動する絞りレバー２５２Ｂの位置に干渉しない位置（移動を妨げない位置）である退避位置に、絞り連動レバー３５０を制御する。
【０１０１】
なお、アダプター３００は、「レンズ起動処理」において、所定のレンズ情報（ダミーデータ）を送信した後に、装着されている交換レンズのレンズ情報を取得してカメラボディ１００に送信することができない。そのため、「レンズ起動処理」において、カメラボディ１００は、アダプター３００に対して一旦供給したパワー系電源ＰＷＲの電圧の供給を停止してから、「レンズ起動処理」を終了する。
【０１０２】
これにより、交換レンズ２００Ｂは、アダプター３００を介してカメラボディ１００と接続が可能であり、交換レンズ２００Ｂの仕様に応じてマニュアル操作によって機能させることができる。
この交換レンズ２００Ｂを、以下の記述において、非ＣＰＵレンズとも称する。
【０１０３】
（電磁絞り式ＣＰＵレンズ）
また、図４に示すように、絞り機構２５１Ｃを電気的に駆動する電磁絞り式の交換レンズ２００Ｃを、アダプター３００を介してカメラボディ１００と接続して機能させることも可能である。
【０１０４】
図４は、電磁絞り式の交換レンズ２００Ｃを備えているカメラシステム１Ｃの構成の一例を示す概略ブロック図である。同図において図１の各部に対応する部分には同一の符号を付け、その説明を省略する。この図において、カメラボディ１００と交換レンズ２００Ｃとは、アダプター３００を介して装着されている。
図４に示す交換レンズ２００Ｃは、図１に示す交換レンズ２００が絞りレバー２５２を有する絞りユニット２５０を備えているのに対して、絞り駆動部２３３Ｃを有する電磁絞りユニット２５０Ｃを備えている点で異なる。
【０１０５】
例えば、交換レンズ２００Ｃは、電磁絞りユニット２５０Ｃ（ＥＭＤ(Electro-magnetic Diaphragm)）を備えているレンズである。この電磁絞りユニット２５０Ｃは、絞り機構２５１Ｃと絞り駆動部２３３Ｃとを備えている。
絞り駆動部２３３Ｃは、レンズ制御部２１０Ｃが備えている光学系制御部２１１Ｃの制御により、絞り機構２５１Ｃの絞り開口径（開度、絞り値）を電気的に駆動して変更する。また、絞り駆動部２３３Ｃは、例えば、絞り駆動用アクチュエータを含んで構成されている。
【０１０６】
なお、この図に示す構成においてアダプター３００が絞り機構２５１Ｃを制御する場合、アダプター制御部３１０は、絞り連動レバー駆動部３３０を制御するのに代えて、レンズ制御部２１０Ｃと通信することにより絞り駆動部２３３Ｃを介して絞り機構２５１Ｃを制御する。また、交換レンズ２００Ｃの電磁絞りユニット２５０Ｃには、アダプター３００からレンズ駆動系電源Ｖｐの電圧が供給される。すなわち、アダプター３００は、交換レンズ２００Ｃの電磁絞りユニット２５０Ｃを駆動する場合、絞り連動レバー駆動部３３０に絞り駆動用電源Ｖｍへの給電は行わない。そして、アダプター３００から交換レンズ２００Ｃに対して供給されたレンズ駆動系電源Ｖｐの電圧が、絞り駆動部２３３Ｃに供給される。なお、その他の電源系統は、図１を用いて説明したカメラシステム１（交換レンズ２００が装着された場合）と同様である。
【０１０７】
これにより、アダプター３００は、図１に示す交換レンズ２００対する給電と同様に、アダプター３００を介してカメラボディ１００に装着（接続）された交換レンズ２００Ｃに対して適切に給電することができる。また、カメラ制御部１１０は、アダプター制御部３１０を介してレンズ制御部２１０Ｃと通信することにより、交換レンズ２００Ｃを機能させることができる。この交換レンズ２００Ｃを、以下の記述において、電磁絞り式ＣＰＵレンズとも称する。
【０１０８】
（規格適合レンズ）
なお、交換レンズ２００のレンズ側マウント部２０１と、カメラボディ１００のカメラボディ側マウント部１０１と、が同じ仕様のレンズマウントである場合は、アダプター３００を介さず直接にカメラボディ１００と接続して機能させることが可能なレンズである。このような交換レンズを、以下の記述において、規格適合レンズとも称する。
【０１０９】
＜レンズ起動処理の詳細＞
次に、「レンズ起動処理」の詳細について説明する。なお、以下に説明する「レンズ起動処理」は、図２におけるステップＳ１１〜Ｓ１５の処理の詳細な処理を示す一例である。
【０１１０】
図５は、レンズ起動処理の処理シーケンスの一例を示す図である。この図は、カメラボディ１００の主電源がオンされた場合のレンズ起動処理の一例を示している。
レンズ起動処理は、着脱判定（ステップＳ１１０）、カメラボディ１００とアダプター３００との間の情報交換（ステップＳ１２０）、初期化（ステップＳ１３０）、レンズ情報取得（ステップＳ１６０）、レンズ機能開始（ステップＳ１７０）の順に処理が行われる。また、初期化（ステップＳ１３０）においては、アダプター３００が交換レンズ２００に対して行う処理として、装着判定処理（ステップＳ１４０）とレンズ初期化処理（ステップＳ１５０）とが順に実行される。
なお、この起動処理において、カメラボディ１００がアダプター３００を介して交換レンズ２００と実行される通信は、コマンドデータ通信である。
【０１１１】
まず、着脱判定（ステップＳ１１０）は、カメラボディ１００がアダプター３００に対する制御系電源Ｖｃｃ１の給電を開始して、アダプター３００（または、交換レンズ２００Ａ）が装着されているか否かを判定する処理である。
カメラボディ１００の主電源がオンされた場合、カメラ制御部１１０は、カメラ電源部１２０を制御して、制御系電源Ｖｃｃ１の電圧をアダプター３００に供給（給電）させる（ステップＳ１１１０）。これにより、アダプター制御部３１０に、制御系電源Ｖｃｃ１の電圧が供給される。アダプター制御部３１０は、制御系電源Ｖｃｃ１の電圧が供給されるのに応じてアダプター起動処理を行い、アダプター通信部３１２からカメラ通信部１１２に対して通信可否を通知する（ステップＳ２１１０）。例えば、アダプター通信部３１２は、制御系電源Ｖｃｃ１の電圧が供給されるのに応じて信号ＲＤＹをＨ（ハイ）レベルに制御し、アダプター起動処理により信号ＲＤＹをＬ（ロウ）レベルに制御する。そして、カメラ通信部１１２は、信号ＲＤＹの信号レベルの立下りエッジを検出することにより、装着情報を取得する（ステップＳ１１１２）。
【０１１２】
これにより、カメラ制御部１１０は、カメラ通信部１１２により取得された装着情報に基づいて、アダプター３００が装着されているか否かの着脱判定を行う（ステップＳ１１１４）。例えば、カメラ制御部１１０は、信号ＲＤＹの信号レベルの立下りエッジが検出されたか否かを示す装着情報に基づいて着脱判定を行う。
【０１１３】
ステップＳ１１１４において、カメラボディ１００にアダプター３００が装着されていると判定された場合、カメラ制御部１１０は、カメラボディ１００とアダプター３００との間の情報交換（ステップＳ１２０）に処理を進める。
なお、カメラボディ１００に対してアダプター３００を介さず直接に規格適合レンズが装着されている場合も、カメラ制御部１１０は、同様にステップＳ１２０に処理を進める。この場合のステップＳ１２０の処理は、カメラボディ１００と交換レンズ２００Ａとの間の情報交換の処理となる。
また、ステップＳ１１１４において装着されていないと判定された場合、カメラ制御部１１０は、カメラボディ１００に対してアダプター３００および規格適合レンズの何れも装着されていない非装着状態であると判定する。
【０１１４】
ステップＳ１２０のカメラボディ１００とアダプター３００との間の情報交換において、以下の処理が行われる。
カメラ通信部１１２は、アダプター通信部３１２と通信（コマンドデータ通信）の確立を行う。例えば、カメラ通信部１１２は、アダプター通信部３１２に対して通信要求およびレンズ情報の要求を送信する（ステップＳ１１２０）。アダプター通信部３１２は、カメラ通信部１１２からの通信要求に応じて通信を開始する。この通信が確立（成立）した後、アダプター通信部３１２は、記憶部３４０から所定のレンズ情報（ダミーデータ）を読み出して、読み出した所定のレンズ情報（ダミーデータ）をカメラ通信部１１２に送信する（ステップＳ２１２０）。
【０１１５】
なお、ステップＳ１２０において、カメラ通信部１１２とアダプター通信部３１２とは、カメラボディ１００とアダプター３００とのそれぞれの識別ＩＤ、名称、ファームウェアバージョン等の情報を互いに通信して取得してもよい。
【０１１６】
次に、カメラ制御部１１０のレンズ装着判定部１１３は、ステップＳ１２０においてカメラ通信部１１２がレンズ情報を取得したか否かに基づいて、交換レンズ２００が装着されているか否かを判定する（ステップＳ１１２４）。ステップＳ１１２４において、カメラ通信部１１２がレンズ情報を取得した場合、すなわちレンズ装着判定部１１３が、交換レンズ２００が装着されている状態（レンズ装着状態）であると判定した場合、カメラ制御部１１０は、初期化（ステップＳ１３０）に処理を進める。
【０１１７】
一方、ステップＳ１１２４においてカメラ通信部１１２がレンズ情報を取得しない場合、すなわちレンズ装着判定部１１３が、交換レンズ２００が装着されていない状態（レンズ非装着状態）であると判定した場合、カメラ制御部１１０は、カメラボディ１００に対して、アダプター３００を介して交換レンズ２００が装着されていない非装着状態であると判定して処理を終了する。ここで、ステップＳ２１２０における正常な処理として、アダプター３００は、交換レンズ２００が装着されているか否かにかかわらずに、所定のレンズ情報（ダミーデータ）をカメラ通信部１１２に送信する。そのため、ステップＳ１１２４においてカメラ通信部１１２がレンズ情報を取得しない場合とは、正常な処理が実行されない場合である。この正常な処理が実行されない場合とは、例えば、通信処理等に不具合が生じることにより、アダプター３００から所定のレンズ情報（ダミーデータ）が送信されない場合、または送信された所定のレンズ情報（ダミーデータ）をカメラボディ１００が取得できない場合等である。このような場合、カメラボディ１００は、レンズ非装着状態と判定することにより、交換レンズ２００に対する通信処理および給電処理を実行しないようにする。
【０１１８】
初期化（ステップＳ１３０）の処理は、カメラボディ１００からパワー系電源ＰＷＲの電圧を供給して、アダプター３００および交換レンズ２００の初期化を行う処理である。
まず、カメラ制御部１１０は、カメラ通信部１１２がレンズ情報（所定のレンズ情報（ダミーデータ））を取得したことに応じて（レンズ装着判定部１１３がレンズ装着状態であると判定したことに応じて）、スイッチ１２５を導通状態に制御してパワー系電源ＰＷＲの電圧をバッテリー１９０からアダプター３００に供給（給電）させる（ステップＳ１１３０）。
【０１１９】
次に、カメラ通信部１１２は、初期化要求として初期化実行コマンドをアダプター通信部３１２に送信する（ステップＳ１１４０）。
アダプター制御部３１０は、アダプター通信部３１２により初期化実行コマンドが受信された場合、装着判定処理（ステップＳ１４０）およびレンズ初期化処理（ステップＳ１５０）を実行する。
【０１２０】
装着判定処理（ステップＳ１４０）は、アダプター３００が交換レンズ２００の装着または非装着を判定する処理、および交換レンズ２００のレンズ情報を取得する処理である。アダプター制御部３１０は、レンズ制御系電源Ｖｃの電圧をアダプター電源部３２０に生成させて交換レンズ２００に供給（給電）させる。これにより、アダプター通信部３１２は、レンズ通信部２１２と通信を開始（通信を確立）する。
【０１２１】
次に、アダプター通信部３１２は、レンズ通信部２１２との間の通信により、レンズ装着判定処理を実行し、交換レンズ２００が装着されているか否かを判定する。交換レンズ２００が装着されていると判定された場合、アダプター通信部３１２は、レンズ通信部２１２から送信（応答）されたレンズ情報を受信（取得）する。また、レンズ通信部２１２は、アダプター通信部３１２に、レンズ駆動系電源Ｖｐ要求信号を送信する（ステップＳ２１４０、ステップＳ３１４０）。そして、アダプター制御部３１０は、レンズ初期化処理（ステップＳ１５０）に処理を進める。なお、レンズ装着判定処理において、交換レンズ２００が装着されていないと判定された場合、アダプター制御部３１０は、レンズ制御系電源Ｖｃの電圧の供給を停止させて、初期化（ステップＳ１３０）の処理を終了する。
【０１２２】
レンズ初期化処理（ステップＳ１５０）は、アダプター３００および交換レンズ２００の初期化処理である。
アダプター制御部３１０は、アダプター通信部３１２によりレンズ駆動系電源Ｖｐ要求信号が受信された場合、レンズ駆動系電源Ｖｐの電圧をアダプター電源部３２０に生成させて交換レンズ２００に供給（給電）させる。次に、アダプター通信部３１２は、レンズ通信部２１２との間の通信により、レンズ初期化処理を実行する（ステップＳ２１５０、ステップＳ３１５０）。
【０１２３】
次に、アダプター３００および交換レンズ２００の初期化が完了すると、カメラ通信部１１２は、初期化確認コマンドに対する応答結果として、初期化が完了したことを示す情報として「初期化完了」を、アダプター通信部３１２から受信する。これにより、カメラ制御部１１０は初期化完了情報を取得する（ステップＳ１１５０）。
【０１２４】
初期化が完了すると、カメラ制御部１１０は、ステップＳ１１２０のカメラボディ１００とアダプター３００との間の情報交換において取得した情報に基づいて、アダプター３００が装着されているか否かを判定する（ステップＳ１１５５）。ステップＳ１１５５において、アダプター３００が装着されていないと判定された場合、カメラ制御部１１０は、カメラボディ１００に対してアダプター３００を介さず直接に規格適合レンズが装着されていると判定する。一方、ステップＳ１１５５において、アダプター３００が装着されていると判定された場合、カメラ制御部１１０は、レンズ情報取得（ステップＳ１６０）の処理に進める。
【０１２５】
レンズ情報取得（ステップＳ１６０）の処理は、カメラボディ１００がアダプター３００に装着されている交換レンズ２００のレンズ情報（アダプター３００が交換レンズ２００から取得した正しいレンズ情報）を取得する処理である。カメラ通信部１１２は、アダプター通信部３１２にレンズ情報取得コマンドを送信する。アダプター通信部３１２は、このレンズ情報取得コマンドを受信することに応じて、装着判定処理（ステップＳ１４０）において交換レンズ２００から取得したレンズ情報をカメラ通信部１１２に送信（応答）する。カメラ通信部１１２は、アダプター通信部３１２からのレンズ情報の応答を受信して、交換レンズ２００のレンズ情報を取得する（ステップＳ１１６０、ステップＳ２１６０）。
【０１２６】
次に、カメラ制御部１１０は、レンズ情報取得（ステップＳ１６０）において取得されたレンズ情報に基づいて、交換レンズ２００の種類（種別）を判定する（ステップＳ１１６５）。例えば、カメラ制御部１１０は、装着判定処理（ステップＳ１４０）の判定結果により、アダプター３００にＣＰＵレンズが装着されているか否かを判定する。
ステップＳ１１６５においてＣＰＵレンズが装着されていないと判定された場合、非ＣＰＵレンズ装着状態と判定して起動し、処理を終了する。
一方、ステップＳ１１６５において、ＣＰＵレンズが装着されていると判定された場合、レンズ機能開始（ステップＳ１７０）に処理を進める。
また、カメラ制御部１１０は、取得したレンズ情報に基づいて、例えば、ＡＦ制御（処理）の機能を有するレンズ、ＶＲレンズ２２３の制御（処理）の機能（防振制御機能）を有するレンズ、または、電磁絞り式レンズ、であるか否か等を判定する。
【０１２７】
レンズ機能開始（ステップＳ１７０）の処理は、レンズ情報取得（ステップＳ１６０）の処理において取得したレンズ情報に基づいて、交換レンズの種別（機能）に応じて、それぞれの機能を開始する処理をする。カメラ通信部１１２は、アダプター通信部３１２を介してレンズ通信部２１２と通信を行い、例えば、レンズ制御用テーブルの取得、ホットライン通信許可設定、防振制御開始設定等の処理を行う（ステップＳ１１７０、ステップＳ２１７０、ステップＳ３１７０）。
そして、カメラ制御部１１０は、ＣＰＵレンズ装着状態と判定して起動し、処理を終了する。
【０１２８】
このように、アダプター制御部３１０は、交換レンズ２００からレンズ情報を取得する前に、カメラ制御部１１０からの要求に応じて所定のレンズ情報（ダミーデータ）をカメラ制御部１１０に送信する。また、アダプター制御部３１０は、交換レンズ２００からレンズ情報を取得した後に、取得したレンズ情報をカメラ制御部１１０に送信する。
【０１２９】
なお、アダプター３００は、ＣＰＵレンズ（例えば、交換レンズ２００）、非ＣＰＵレンズ（例えば、交換レンズ２００Ｂ）、電磁絞り式ＣＰＵレンズ（例えば、交換レンズ２００Ｃ）などの様々な交換レンズをカメラボディ１００と接続して機能させることが可能である。アダプター３００は、「レンズ起動処理」において、装着されている交換レンズの仕様を判別し、判別した仕様に基づいて給電する。また、アダプター３００は、判別した仕様に基づいて、電圧の供給が不要な非ＣＰＵレンズ（例えば、交換レンズ２００Ｂ）の場合、給電を停止する。
【０１３０】
以上説明したように、本実施形態におけるアダプター３００では、記憶部３４０には、予め定められている所定のレンズ情報（ダミーデータ）が記憶されている。アダプター制御部３１０は、制御系電源Ｖｃｃ１（第１電源系統）からの給電を受けることに応じて、レンズ系電源系統の電圧を交換レンズ２００に対して供給させる前に、所定のレンズ情報（ダミーデータ）を記憶部３４０から読み出してカメラ制御部１１０に送信する。すなわち、アダプター制御部３１０は、交換レンズ２００からレンズ情報を取得する前に、カメラ制御部１１０からの要求に応じて所定のレンズ情報（ダミーデータ）をカメラ制御部１１０に送信する。
これにより、アダプター３００は、交換レンズ２００からレンズ情報を取得する前に、カメラボディ１００からの要求に応じて所定のレンズ情報（ダミーデータ）をカメラボディ１００に送信することができる。すなわち、アダプター３００は、カメラボディ１００に所定のレンズ情報（ダミーデータ）を取得させることにより、カメラボディ１００からアダプター３００に対するパワー系電源ＰＷＲの電圧の供給を開始させることができる。
【０１３１】
よって、アダプター３００は、カメラボディ１００に対してアダプター３００を介して交換レンズ２００を装着した場合にレンズ起動処理の処理時間が長くなることを抑制することができる。また、アダプター３００は、パワー系電源ＰＷＲの電圧が給電される前に交換レンズ２００に対して給電する必要がない。そのため、アダプター３００内に、制御系電源Ｖｃｃ１の電圧（例えば、３．３Ｖ）からレンズ制御系電源Ｖｃの電圧（例えば、５Ｖ）を生成するための昇圧回路が不要であり、回路規模やコストの増加を抑制することができる。
【０１３２】
また、本実施形態では、アダプター制御部３１０は、所定のレンズ情報をカメラボディ１００に送信することに応じてカメラボディ１００から供給されたパワー系電源ＰＷＲ（第２電源系統）の電圧から、レンズ系電源系統の電圧をアダプター電源部３２０に生成させる。
これにより、アダプター３００は、交換レンズ２００からレンズ情報を取得する前に、カメラボディ１００から供給されたパワー系電源ＰＷＲの電圧から交換レンズ２００に対して供給するレンズ系電源系統の電圧を生成することができる。
【０１３３】
また、本実施形態では、アダプター制御部３１０は、パワー系電源ＰＷＲ（第２電源系統）からの給電が開始された後、レンズ系電源系統の電圧をアダプター電源部３２０に生成させて交換レンズ２００に対して供給させる。
これにより、アダプター３００は、パワー系電源ＰＷＲからの給電が開始された後、このパワー系電源ＰＷＲの電圧からレンズ系電源系統の電圧を生成して交換レンズ２００に対して供給することができる。
【０１３４】
また、本実施形態では、アダプター制御部３１０は、レンズ系電源系統の電圧を交換レンズ２００に対して供給させた後に、交換レンズ２００が有する光学系２２０の情報を含むレンズ情報を交換レンズ２００と通信することにより取得する。そして、アダプター制御部３１０は、取得したレンズ情報をカメラボディ１００に対して送信する。
これにより、アダプター３００は、レンズ系電源系統の電圧を交換レンズ２００に対して供給させた後に、交換レンズ２００からレンズ情報を取得することができる。また、アダプター３００は、この取得したレンズ情報をカメラボディ１００に対して送信することができる。すなわち、アダプター３００は、パワー系電源ＰＷＲからの給電を開始させるために、一旦、所定のレンズ情報（ダミーデータ）をカメラボディ１００に送信した後に、交換レンズ２００から取得したレンズ情報（正しいレンズ情報）をカメラボディ１００に対して送信することができる。
【０１３５】
また、本実施形態では、アダプター電源部３２０は、レンズ系電源系統の電圧として、交換レンズ２００が備える光学系２２０を駆動する光学系駆動部２３０に給電するレンズ駆動系電源Ｖｐ（第３電源系統）の電圧と、光学系駆動部２３０を制御するレンズ制御部２１０に給電するレンズ制御系電源Ｖｃ（第４電源系統）の電圧と、を生成する。そして、アダプター制御部３１０は、パワー系電源ＰＷＲ（第２電源系統）からの給電が開始された後、レンズ制御系電源Ｖｃ（第４電源系統）の電圧をアダプター電源部３２０に生成させて交換レンズ２００に対して供給させる。これにより、アダプター制御部３１０は、交換レンズ２００が有する光学系２２０の情報を含むレンズ情報を交換レンズ２００と通信することにより取得する。
これにより、アダプター３００は、パワー系電源ＰＷＲからの給電が開始された後、レンズ制御系電源Ｖｃの電圧を交換レンズ２００に供給することにより、交換レンズ２００からレンズ情報を取得することができる。よって、アダプター３００は、交換レンズ２００との通信結果（例えば、取得したレンズ情報等）に基づいて、レンズ駆動系電源Ｖｐの電圧を交換レンズ２００に供給することができる。例えば、アダプター３００は、給電が必要なＣＰＵレンズ（例えば、交換レンズ２００）の場合にはレンズ駆動系電源Ｖｐの電圧を供給し、給電が不必要な非ＣＰＵレンズ（例えば、交換レンズ２００Ｂ）の場合にはレンズ駆動系電源Ｖｐの電圧を供給しないように制御することができる。よって、アダプター３００は、交換レンズの種類に応じて、不要な給電を行わないようにすることができる。
【０１３６】
また、本実施形態では、アダプター電源部３２０は、パワー系電源ＰＷＲ（第２電源系統）から、絞り連動レバー駆動部３３０に給電する絞り駆動用電源Ｖｍ（第５電源系統）の電圧を生成する。そして、アダプター制御部３１０は、パワー系電源ＰＷＲからの給電が開始されることに応じて、絞り駆動用電源Ｖｍの電圧をアダプター電源部３２０に生成させて絞り連動レバー駆動部３３０に対して供給させる。
これにより、アダプター３００は、パワー系電源ＰＷＲからの給電が開始されることに応じて、パワー系電源ＰＷＲの電圧から絞り駆動用電源Ｖｍの電圧を生成して、生成した絞り駆動用電源Ｖｍの電圧をアダプター３００内の絞り連動レバー駆動部３３０に給電することができる。よって、アダプター３００は、交換レンズ２００からレンズ情報を取得する前に、絞り駆動用電源Ｖｍの電圧をアダプター３００内の絞り連動レバー駆動部３３０に給電することができる。
【０１３７】
このように、アダプター３００は、交換レンズ２００のレンズ情報を取得する前に、所定のレンズ情報（ダミーデータ）をカメラボディ１００に送信することにより、カメラボディ１００からパワー系電源ＰＷＲの電圧の供給を開始させ、供給されたパワー系電源ＰＷＲの電圧により交換レンズ２００への給電を開始する。つまり、アダプター３００は、互いに異なる仕様のカメラボディ１００と交換レンズ２００とを中継することにより、カメラボディ１００から交換レンズ２００に対して適切に給電することができる。よって、カメラボディ１００と交換レンズ２００とをアダプター３００を介して接続することにより、カメラボディ１００により交換レンズ２００を駆動して機能させることができる。さらに、アダプター３００は、ＣＰＵレンズ（例えば、交換レンズ２００）、非ＣＰＵレンズ（例えば、交換レンズ２００Ｂ）、電磁絞り式ＣＰＵレンズ（例えば、交換レンズ２００Ｃ）などの様々な交換レンズをカメラボディ１００と接続して機能させることが可能である。
【０１３８】
以上のように、本実施形態によれば、レンズ交換式のカメラシステムにおいて、様々な種類の光学系を適切に機能させることができる。
【０１３９】
なお、図１、図３、および図４に示す、交換レンズ２００とカメラボディ１００とがアダプター３００のみを介して接続されている構成に限られるものではない。
例えば、交換レンズ２００とカメラボディ１００とが、アダプター３００と他の変換アダプター（テレコンバータ等）とを介して交換レンズ２００に接続されている構成としてもよい。
また、上記実施形態のアダプター３００は、光学系を備えていない構成であるが、光学系を備えている構成としてもよい。
【０１４０】
また、上記実施形態のアダプター３００は、絞り連動レバー３５０、および絞り連動レバー駆動部３３０を備えている構成であるが、これらを備えていない構成としてもよい。例えば、カメラボディ１００に対して電磁絞り式ＣＰＵレンズ（例えば、交換レンズ２００Ｃ）を装着させる場合であれば、アダプター３００は、絞り連動レバー３５０、および絞り連動レバー駆動部３３０が備えていなくてもよい。
【０１４１】
なお、図１、図９および図１０におけるカメラ制御部１１０、レンズ制御部２１０、またはアダプター制御部３１０（３１０Ａ）は、それぞれ専用のハードウェアにより実現されるものであってもよく、また、メモリーおよびＣＰＵ（Central Processing Unit）により構成され、上述のカメラ制御部１１０、レンズ制御部２１０、およびアダプター制御部３１０（３１０Ａ）のそれぞれの機能を実現するためのプログラムをメモリーにロードして実行することによりその機能を実現させるものであってもよい。
【０１４２】
また、上述のカメラ制御部１１０、レンズ制御部２１０、またはアダプター制御部３１０（３１０Ａ）それぞれの機能を実現するためのプログラムをコンピュータ読み取り可能な記録媒体に記録して、この記録媒体に記録されたプログラムをコンピュータシステムに読み込ませ、実行することにより上述の各部の処理をそれぞれ行ってもよい。なお、ここでいう「コンピュータシステム」とは、ＯＳや周辺機器等のハードウェアを含むものとする。
【０１４３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリーのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【０１４４】
以上、この発明の実施形態について図面を参照して詳述してきたが、具体的な構成はこの実施形態に限られるものではなく、この発明の要旨を逸脱しない範囲の設計等も含まれる。
【符号の説明】
【０１４５】
１，１Ｂ，１Ｃ  カメラシステム、１００  カメラボディ、２００，２００Ｂ，２００Ｃ  交換レンズ、２１０  レンズ制御部、２２０  光学系、２３０  光学系駆動部、２５１  絞り機構（絞り）、３００  アダプター、３０１  第１マウント部、３０２  第２マウント部、３１０  アダプター制御部、３１２  第１アダプター通信部、３２０  アダプター電源部（電源部）、３３０  絞り連動レバー駆動部（絞り連動機構部）、３４０  記憶部、３５０  絞り連動レバー
【図１】
2013125170.tif 000003
【図２】
2013125170.tif 000004
【図３】
2013125170.tif 000005
【図４】
2013125170.tif 000006
【図５】
2013125170.tif 000007